【手続補正書】
【提出日】平成24年10月26日(2012.10.26)
【手続補正１】
【補正対象書類名】明細書
【補正対象項目名】発明の名称
【補正方法】変更
【補正の内容】
【発明の名称】シート処理装置システム及びシート処理装置
【手続補正２】
【補正対象書類名】明細書
【補正対象項目名】０００１
【補正方法】変更
【補正の内容】
【０００１】
本発明は、複数のシート処理装置が接続されてなるシート処理装置システム及びシート処理装置に関する。
【手続補正３】
【補正対象書類名】明細書
【補正対象項目名】００１４
【補正方法】変更
【補正の内容】
【００１４】
本発明は上記従来技術の問題を解決するためになされたものであり、その目的は、下流側のシート処理装置に搬送されるシートの横ずれ量を予測・考慮して上流側のシート処理装置で横ずれ補正を行うことで、下流側のシート処理装置に搬送されるシートの実際の横ずれ量を小さくすることができるシート処理装置システム及びシート処理装置を提供することにある。
【手続補正４】
【補正対象書類名】明細書
【補正対象項目名】００１５
【補正方法】変更
【補正の内容】
【００１５】
上記目的を達成するために本発明の請求項１のシート処理装置システムは、第１のシート処理装置と、シートの搬送方向における前記第１のシート処理装置よりも下流側に配置された第２のシート処理装置とを有するシート処理装置システムであって、前記第１のシート処理装置は、シートの搬送方向に直交する幅方向におけるシートの端部位置を検出する第１の検出手段と、前記幅方向におけるシートの位置を補正する第１の補正手段とを有し、前記第１の検出手段により第１のシートの端部位置を検出し、検出された端部位置に基づいて前記第１の補正手段により前記第１のシートの位置を補正するものであり、前記第２のシート処理装置は、前記幅方向におけるシートの端部位置を検出する第２の検出手段と、前記第２の検出手段により検出された端部位置に基づく横ずれ量を前記第１のシート処理装置へ送信する送信手段とを有し、前記第１のシート処理装置により位置が補正された前記第１のシートの端部位置を前記第２の検出手段により検出し、検出された端部位置に基づく前記第１のシートの横ずれ量を前記送信手段により前記第１のシート処理装置へ送信するものであり、前記第１のシート処理装置はさらに、前記第１のシートよりも後続の第２のシートの端部位置を前記第１の検出手段により検出し、前記第１の補正手段は、前記送信手段により前記第２のシート処理装置から送信される前記第１のシートの横ずれ量と、前記第１の検出手段により検出された前記第２のシートの端部位置とに基づいて前記第２のシートの位置を補正することを特徴とする。
上記目的を達成するために本発明の請求項７のシート処理装置システムは、第１のシート処理装置と、シートの搬送方向における前記第１のシート処理装置よりも下流側に配置された第２のシート処理装置とを有するシート処理装置システムであって、前記第１のシート処理装置は、シートの斜行量を検出する第１の検出手段と、シートの斜行を補正する第１の補正手段とを有し、前記第１の検出手段により第１のシートの斜行量を検出し、検出された斜行量に基づいて前記補正手段により前記第１のシートの斜行を補正するものであり、前記第２のシート処理装置は、シートの斜行量を検出する第２の検出手段と、前記第２の検出手段により検出された斜行量を前記第１のシート処理装置へ送信する送信手段とを有し、前記第１のシート処理装置により斜行が補正された前記第１のシートの斜行を前記第２の検出手段により検出し、検出された前記第１のシートの斜行量を前記送信手段により前記第１のシート処理装置へ送信するものであり、前記第１のシート処理装置はさらに、前記第１のシートよりも後続の第２のシートの斜行量を前記第１の検出手段により検出し、前記第１の補正手段は、前記送信手段により前記第２のシート処理装置から送信される前記第１のシートの斜行量と、前記第１の検出手段により検出された前記第２のシートの斜行量とに基づいて前記第２のシートの斜行を補正することを特徴とする。
上記目的を達成するために本発明の請求項８のシート処理装置は、シートの搬送方向に直交する幅方向におけるシートの端部位置のずれ量を検出する機能を有する下流装置へシートを搬送するシート処理装置であって、前記幅方向におけるシートの端部位置を検出する位置検出手段と、前記幅方向におけるシートの位置を補正する位置補正手段と、第２のシート処理装置と通信を行う通信手段と、を有し、前記シート処理装置は、前記位置検出手段により第１のシートの端部位置を検出し、検出された端部位置に基づいて前記位置補正手段により前記第１のシートの位置を補正し、位置が補正された前記第１のシートを前記下流装置へ搬送し、前記下流装置により検出される前記第１のシートの端部位置のずれ量を前記通信手段により受信し、前記位置補正手段は、前記第１のシートよりも後続の第２のシートの位置を補正する場合、前記位置検出手段により前記第２のシートの端部位置を検出し、前記第２のシート処理装置から受信した前記第１のシートの端部位置のずれ量と、前記位置検出手段により検出された前記第２のシートの端部位置とに基づいて前記第２のシートの位置を補正することを特徴とする。
上記目的を達成するために本発明の請求項９のシート処理装置は、シートの搬送方向に直交する幅方向におけるシートの斜行量を検出する機能を有する下流装置へシートを搬送するシート処理装置であって、前記幅方向におけるシートの斜行量を検出する斜行量検出手段と、前記幅方向におけるシートの斜行を補正する斜行補正手段と、第２のシート処理装置と通信を行う通信手段と、を有し、前記シート処理装置は、前記斜行量検出手段により第１のシートの斜行量を検出し、検出された斜行量に基づいて前記斜行補正手段により前記第１のシートの斜行を補正し、斜行が補正された前記第１のシートを前記下流装置へ搬送し、前記下流装置により検出される前記第１のシートの斜行量を前記通信手段により受信し、前記斜行補正手段は、前記第１のシートよりも後続の第２のシートの斜行を補正する場合、前記斜行量検出手段により前記第２のシートの端部位置を検出し、前記第２のシート処理装置から受信した前記第１のシートの斜行量と、前記斜行量検出手段により検出された前記第２のシートの斜行量とに基づいて前記第２のシートの斜行を補正することを特徴とする。
【手続補正５】
【補正対象書類名】明細書
【補正対象項目名】００５７
【補正方法】変更
【補正の内容】
【００５７】
パンチユニット７３０でパンチ処理を行う場合は、シフトユニット１０８でシートに対してセンター位置への横ずれ補正が行われる。シート後端がパンチユニット７３０を通過後、シート搬送を停止させる。シート搬送停止後に、上流側にスイッチバック搬送を行い、パンチユニット７３０の図示しない突き当て部材にシートを突き当てて、所定距離搬送後に停止させる。突き当て部材に突き当て後、所定距離搬送する理由は、シートを撓ませることでシート後端辺の斜行補正を行うためである。シートを突き当て部材に突き当ててシートを撓ませた状態で、パンチモータ５２４（図１１）が駆動されてパンチユニット７３０がシートへパンチ処理を行う。パンチ処理後に仕分け処理のために、再度、シフトユニット１０８により手前または奥方向に所定量移動させシフト動作を行う。
【手続補正６】
【補正対象書類名】明細書
【補正対象項目名】０１０１
【補正方法】変更
【補正の内容】
【０１０１】
図１９は、シート間隔選択指示処理のフローチャートである。本処理は、スタッカ制御部７０１によって一定時間毎に実行される。まず、スタッカ制御部７０１は、スタッカ４００で行われているシート位置補正が、横ずれ補正量Ｄ１及び斜行補正量Ｄ２に基づく予測補正であるかを判別する（ステップＳ１６０１）。すなわち、横ずれ補正が横ずれ量Ｘｆ、横ずれ量Ｘｓに双方に基づきなされ、且つ斜行補正が斜行量Ｌ６ｆ、斜行量Ｌ６ｓの双方に基づきなされているか否かを判別する（ステップＳ１６０１）。その判別の結果、行われているシート位置補正が予測補正でない場合は、スタッカ制御部７０１は、通常のシート間隔である第１のシート間隔を選択させるための選択指示をプリンタ制御部３０４に送る（ステップＳ１６０２）。一方、行われているシート位置補正が予測補正である場合は、スタッカ制御部７０１は、第１のシート間隔よりも狭いシート間隔である第２のシート間隔を選択させるための選択指示をプリンタ制御部３０４に送る（ステップＳ１６０３）。その後、本処理を終了する。
【手続補正７】
【補正対象書類名】明細書
【補正対象項目名】０１０３
【補正方法】変更
【補正の内容】
【０１０３】
まず、画像形成装置制御部３０５は、スタッカ制御部７０１からプリンタ制御部３０４に対して、第２のシート間隔を選択させるための選択指示が来ているか否かを判別する（ステップＳ１７０１）。その判別の結果、第２のシート間隔を選択させるための選択指示が来ていない場合は、画像形成装置制御部３０５は、ステップＳ１７０３で、通常である第１のシート間隔を選択する。そして、該選択した第１のシート間隔にてシート搬送が行われるように、プリンタ制御部３０４を制御する。一方、第２のシート間隔を選択させるための選択指示が来ている場合は、画像形成装置制御部３０５は、シートの給紙段（カセット９０９ａ〜９０９ｄが変更されたか否かを判別する（ステップＳ１７０２）。その判別の結果、シートの給紙段が変更された場合は、画像形成装置制御部３０５は、前記ステップＳ１７０３で、第１のシート間隔を選択し、第１のシート間隔にてシート搬送が行われるように、プリンタ制御部３０４を制御する。第１のシート搬送間隔を選択する理由は、給紙段が変更されることにより、シートの斜行や横ずれの状態が変化する可能性があるからである。一方、シートの給紙段が変更されていない場合は、画像形成装置制御部３０５は、狭い第２シート間隔を選択し、第２シート間隔にてシート搬送が行われるように、プリンタ制御部３０４を制御する（ステップＳ１７０４）。ここで、シート間隔は、フィニッシャ１００がシート処理を行える時間を確保することができるような間隔であるとする。
【手続補正８】
【補正対象書類名】特許請求の範囲
【補正対象項目名】全文
【補正方法】変更
【補正の内容】
【特許請求の範囲】
【請求項１】
第１のシート処理装置と、シートの搬送方向における前記第１のシート処理装置よりも下流側に配置された第２のシート処理装置とを有するシート処理装置システムであって、
前記第１のシート処理装置は、
シートの搬送方向に直交する幅方向におけるシートの端部位置を検出する第１の検出手段と、
前記幅方向におけるシートの位置を補正する第１の補正手段とを有し、
前記第１の検出手段により第１のシートの端部位置を検出し、検出された端部位置に基づいて前記第１の補正手段により前記第１のシートの位置を補正するものであり、
前記第２のシート処理装置は、
前記幅方向におけるシートの端部位置を検出する第２の検出手段と、
前記第２の検出手段により検出された端部位置に基づく横ずれ量を前記第１のシート処理装置へ送信する送信手段とを有し、
前記第１のシート処理装置により位置が補正された前記第１のシートの端部位置を前記第２の検出手段により検出し、検出された端部位置に基づく前記第１のシートの横ずれ量を前記送信手段により前記第１のシート処理装置へ送信するものであり、
前記第１のシート処理装置はさらに、
前記第１のシートよりも後続の第２のシートの端部位置を前記第１の検出手段により検出し、
前記第１の補正手段は、前記送信手段により前記第２のシート処理装置から送信される前記第１のシートの横ずれ量と、前記第１の検出手段により検出された前記第２のシートの端部位置とに基づいて前記第２のシートの位置を補正することを特徴とするシート処理装置システム。
【請求項２】
前記第１のシート処理装置はさらに、
前記第１のシートの斜行量を検出する第３の検出手段と、
前記第１のシートの斜行を補正する第２の補正手段とを有し、
前記第３の検出手段により第１のシートの斜行量を検出し、検出された斜行量に基づいて前記第２の補正手段によりシートの斜行を補正するものであり、
前記第２のシート処理装置はさらに、
前記第１のシートの斜行量を検出する第４の検出手段を有し、
前記送信手段は、前記第４の検出手段により検出された前記第１のシートの斜行量を前記第１のシート処理装置へ送信するものであり、
前記第１のシート処理装置はさらに、
前記第１のシートよりも後続の第２のシートの斜行量を前記第３の検出手段により検出し、
前記第２の補正手段は、前記送信手段により前記第２のシート処理装置から送信される前記第１のシートの斜行量と、前記第３の検出手段により検出された前記第２のシートの斜行量とに基づいて前記第２のシートの斜行を補正することを特徴とする請求項１記載のシート処理装置システム。
【請求項３】
前記第１の補正手段は、前記第１の検出手段により検出された前記第２のシートの端部位置を補正するための補正量と前記第２のシート処置装置から送信された横ずれ量とに基づいて前記第２のシートの位置を補正することを特徴とする請求項１記載のシート処理装置システム。
【請求項４】
前記第２の補正手段は、前記第３の検出手段により検出された前記第２のシートの斜行量を補正するための補正量と前記第２のシート処理装置から送信された斜行量を補正するための補正量とに基づいて前記第２のシートの斜行を補正することを特徴とする請求項２記載のシート処理装置システム。
【請求項５】
前記第１のシート処理装置は、その上流側に配置された画像形成装置から排出されたシートを受け取るものであり、
前記第１のシート処理装置は、前記第２のシート処理装置から前記第１のシートの横ずれ量を受信している場合は、受信していない場合に比べてシートの搬送間隔を広げる指示を出力することを特徴とする請求項１〜４のいずれか１項記載のシート処理システム。
【請求項６】
前記第１のシート処理装置は、その上流側に配置された画像形成装置から排出されたシートを受け取るものであり、
前記第１のシート処理装置は、前記第２のシート処理装置から前記第１のシートの斜行量を受信している場合は、受信していない場合に比べてシートの搬送間隔を広げる指示を出力することを特徴とする請求項２記載のシート処理装置システム。
【請求項７】
第１のシート処理装置と、シートの搬送方向における前記第１のシート処理装置よりも下流側に配置された第２のシート処理装置とを有するシート処理装置システムであって、
前記第１のシート処理装置は、
シートの斜行量を検出する第１の検出手段と、
シートの斜行を補正する第１の補正手段とを有し、
前記第１の検出手段により第１のシートの斜行量を検出し、検出された斜行量に基づいて前記補正手段により前記第１のシートの斜行を補正するものであり、
前記第２のシート処理装置は、
シートの斜行量を検出する第２の検出手段と、
前記第２の検出手段により検出された斜行量を前記第１のシート処理装置へ送信する送信手段とを有し、
前記第１のシート処理装置により斜行が補正された前記第１のシートの斜行を前記第２の検出手段により検出し、検出された前記第１のシートの斜行量を前記送信手段により前記第１のシート処理装置へ送信するものであり、
前記第１のシート処理装置はさらに、
前記第１のシートよりも後続の第２のシートの斜行量を前記第１の検出手段により検出し、
前記第１の補正手段は、前記送信手段により前記第２のシート処理装置から送信される前記第１のシートの斜行量と、前記第１の検出手段により検出された前記第２のシートの斜行量とに基づいて前記第２のシートの斜行を補正することを特徴とするシート処理装置システム。
【請求項８】
シートの搬送方向に直交する幅方向におけるシートの端部位置のずれ量を検出する機能を有する下流装置へシートを搬送するシート処理装置であって、
前記幅方向におけるシートの端部位置を検出する位置検出手段と、
前記幅方向におけるシートの位置を補正する位置補正手段と、
前記下流装置と通信を行う通信手段と、
を有し、前記シート処理装置は、前記位置検出手段により第１のシートの端部位置を検出し、検出された端部位置に基づいて前記位置補正手段により前記第１のシートの位置を補正し、位置が補正された前記第１のシートを前記下流装置へ搬送し、前記下流装置により検出される前記第１のシートの端部位置のずれ量を前記通信手段により受信し、
前記位置補正手段は、前記第１のシートよりも後続の第２のシートの位置を補正する場合、前記位置検出手段により前記第２のシートの端部位置を検出し、前記第２のシート処理装置から受信した前記第１のシートの端部位置のずれ量と、前記位置検出手段により検出された前記第２のシートの端部位置とに基づいて前記第２のシートの位置を補正することを特徴とするシート処理装置。
【請求項９】
シートの搬送方向に直交する幅方向におけるシートの斜行量を検出する機能を有する下流装置へシートを搬送するシート処理装置であって、
前記幅方向におけるシートの斜行量を検出する斜行量検出手段と、
前記幅方向におけるシートの斜行を補正する斜行補正手段と、
前記下流装置と通信を行う通信手段と、
を有し、前記シート処理装置は、前記斜行量検出手段により第１のシートの斜行量を検出し、検出された斜行量に基づいて前記斜行補正手段により前記第１のシートの斜行を補正し、斜行が補正された前記第１のシートを前記下流装置へ搬送し、前記下流装置により検出される前記第１のシートの斜行量を前記通信手段により受信し、
前記斜行補正手段は、前記第１のシートよりも後続の第２のシートの斜行を補正する場合、前記斜行量検出手段により前記第２のシートの端部位置を検出し、前記第２のシート処理装置から受信した前記第１のシートの斜行量と、前記斜行量検出手段により検出された前記第２のシートの斜行量とに基づいて前記第２のシートの斜行を補正することを特徴とするシート処理装置。